(57)【要約】【課題】  ＰＤＰを提供する。【解決手段】  相互対向に配置されてその間に放電空間を形成する前面基板及び背面基板と、背面基板の上面にストライプ形態に形成される多数のアドレス電極と、背面基板の上面にアドレス電極を覆うように形成される第１誘電体層と、第１誘電体層の上面に形成されて放電空間を区画する多数の隔壁と、前面基板の下面にアドレス電極と直交する方向に突出されて形成され、その両側は凹形状を有する多数の第２誘電体層と、第２誘電体層の両側面に沿って相互に傾くように形成される第１及び第２維持電極と、第２誘電体層の下面に第１及び第２維持電極を覆うように形成される第３誘電体層とを具備するＰＤＰである。  本発明に係るＰＤＰによれば、第２誘電体層が前面基板に突出され、その両側面が凹状に形成されることによって維持放電の主放電時に対向放電が誘導されうる。これにより、ＰＤＰの発光効率及び輝度を向上させうる。【選択図】            図３
2005150095.tif 000002
【特許請求の範囲】
【請求項１】
相互対向に配置されてその間に放電空間を形成する前面基板及び背面基板と、
前記背面基板の上面にストライプ形態に形成される多数のアドレス電極と、
前記背面基板の上面に前記アドレス電極を覆うように形成される第１誘電体層と、
前記第１誘電体層の上面に形成されて前記放電空間を区画する多数の隔壁と、
前記前面基板の下面に前記アドレス電極と直交する方向に突出されて形成され、その両側は凹形状を有する多数の第２誘電体層と、
前記第２誘電体層の両側面に沿って相互に傾くように形成される第１及び第２維持電極と、
前記第２誘電体層の下面に、前記第１及び第２維持電極を覆うように形成される第３誘電体層とを具備することを特徴とするプラズマディスプレイパネル。
【請求項２】
前記第２誘電体層は、下方に行くほど幅が徐々に狭くなるように形成されることを特徴とする請求項１に記載のプラズマディスプレイパネル。
【請求項３】
前記第２誘電体層は、透明誘電体からなることを特徴とする請求項１に記載のプラズマディスプレイパネル。
【請求項４】
前記第２誘電体層は、ガラスからなることを特徴とする請求項３に記載のプラズマディスプレイパネル。
【請求項５】
前記第２誘電体層は、前記前面基板に一体に形成されることを特徴とする請求項１に記載のプラズマディスプレイパネル。
【請求項６】
前記第１及び第２維持電極間の前記第２誘電体層には、前記第２誘電体層の長手方向に溝が形成されることを特徴とする請求項１に記載のプラズマディスプレイパネル。
【請求項７】
前記溝の底壁には、ブラックストライプが塗布されることを特徴とする請求項６に記載のプラズマディスプレイパネル。
【請求項８】
前記ブラックストライプは、前記溝の両側壁にも塗布されることを特徴とする請求項７に記載のプラズマディスプレイパネル。
【請求項９】
前記第１及び第２維持電極の下面には、各々第１及び第２バス電極が形成されることを特徴とする請求項１に記載のプラズマディスプレイパネル。
【請求項１０】
前記第１及び第２バス電極は、各々前記第１及び第２維持電極の下面の縁に形成されることを特徴とする請求項９に記載のプラズマディスプレイパネル。
【請求項１１】
前記第１及び第２バス電極の下部には、炭素ナノチューブが塗布されることを特徴とする請求項９に記載のプラズマディスプレイパネル。
【請求項１２】
前記第３誘電体層の下面には、保護層が形成されることを特徴とする請求項１に記載のプラズマディスプレイパネル。
【請求項１３】
前記隔壁は、前記前面基板の下面に形成された前記第２誘電体層に対応される位置に形成されることを特徴とする請求項１に記載のプラズマディスプレイパネル。
【発明の詳細な説明】
【技術分野】
【０００１】
本発明は、プラズマディスプレイパネル（Ｐｌａｓｍａ  Ｄｉｓｐｌａｙ  Ｐａｎｅｌ；ＰＤＰ）に係り、より詳細には、前面基板上に一対の維持電極を相互に傾くように形成することにより、プラズマ放電を効率的に発生させうる改善された構造のＰＤＰに関する。
【背景技術】
【０００２】
電気的放電を利用して画像を形成するＰＤＰは、輝度や視野角などの表示性能に優れてその使用が増えつつある。このようなＰＤＰは、電極に印加される直流または交流電圧によって電極間にあるガスから放電がおき、ガス放電過程で行われる紫外線の放射によって蛍光体が励起されて可視光を発散する。
【０００３】
前記ＰＤＰは、その放電形式によって直流型と交流型とに分類されうる。直流型ＰＤＰは、全ての電極が放電空間に露出される構造であり、対応電極間に電荷の移動が直接的に行われる。交流型ＰＤＰは、少なくとも一つの電極が誘電体層で囲まれ、対応する電極間に直接的な電荷の移動がない代わりに壁電荷によって放電が行われる。
【０００４】
さらに、ＰＤＰは、電極の配置構造によって対向放電型と面放電型とに分けられる。対向放電型ＰＤＰは、一対の維持電極が各々前面基板と背面基板とに配置された構造であり、基板の垂直軸方向に放電が行われる。面放電型ＰＤＰは、一対の維持電極が同じ基板上に配置された構造であり、基板の一つの平面上で放電が行われる。
【０００５】
ところが、前記の対向放電型ＰＤＰは、発光効率が高い反面、プラズマにより蛍光体層が劣化され易いという短所があり、近年では面放電型ＰＤＰが主に使われている。
【０００６】
図１及び図２には、従来の一般的な面放電型ＰＤＰが図示されている。図２では、ＰＤＰの内部構造をより分かりやすく見せるために前面基板だけ９０゜回転した状態を図示している。
【０００７】
図１及び図２を共に参照すれば、従来のＰＤＰは、相互に対面する背面基板１０と前面基板２０とを具備する。
【０００８】
背面基板１０の上面には、多数のアドレス電極１１がストライプ形態で配列され、このアドレス電極１１は、白色の第１誘電体層１２により埋め込まれている。そして、第１誘電体層１２の上面には、放電セル１４間の電気的、光学的干渉を防止するための多数の隔壁１３が相互に所定間隔をおいて形成されている。この隔壁１３により区画された放電セル１４の内面には各々赤色（Ｒ）、緑色（Ｇ）、青色（Ｂ）の蛍光体層１５が所定の厚さに塗布され、この放電空間１４内には一般的にネオン（Ｎｅ）ガスとキセノン（Ｘｅ）ガスとが混合された放電ガスが注入される。
【０００９】
前面基板２０は、可視光が透過できる透明基板であって主にガラスからなり、隔壁１３が設けられた背面基板１０に結合される。前面基板２０の底面には、前記アドレス電極１１と直交するストライプ形態の維持電極２１ａ，２１ｂが一対をなしている。前記維持電極２１ａ，２１ｂは、可視光が透過できるように主にＩＴＯ（Ｉｎｄｉｕｍ  Ｔｉｎ  Ｏｘｉｄｅ）のような透明な導電性材料からなる。そして、前記維持電極２１ａ，２１ｂのライン抵抗を減らすために、維持電極２１ａ，２１ｂそれぞれの底面には、金属材質からなるバス電極２２ａ，２２ｂが維持電極２１ａ，２１ｂより狭く形成されている。このような維持電極２１ａ，２１ｂとバス電極２２ａ，２２ｂとは透明な第２誘電体層２３により埋め込まれ、第２誘電体層２３の底面には保護層２４が形成されている。前記保護層２４は、プラズマ粒子のスパッタリングによる第２誘電体層２３の損傷を防止し、２次電子を放出して放電電圧と維持電圧とを下げる役割をし、一般的に酸化マグネシウム（ＭｇＯ）からなる。
【００１０】
このような構成の従来のＰＤＰの駆動は、アドレス放電のための駆動と維持放電のための駆動とに分れる。アドレス放電は、アドレス電極１１と一つの維持電極２１ａとの間で行われ、この時に壁電荷が形成される。維持放電は、壁電荷が形成された放電セル１４に位置される維持電極２１ａ，２１ｂ間の電位差によって行われる。この維持放電時に、放電ガスから発生される紫外線により該当放電セル１４の蛍光体層１５が励起されて可視光が発散され、この可視光が前面基板２０を通じて出射され、使用者が認識できる画像を形成する。
【００１１】
一方、前記のような構造のＰＤＰでは、維持電極２１ａ，２１ｂ間の間隔を大きくしてロングギャップ放電を誘導することにより、高効率のプラズマ放電を発生させる。しかし、このように維持電極２１ａ，２１ｂ間の間隔が大きくなると、維持放電の電圧が上昇するという問題が発生する。そして、充分な壁電荷をためるために、アドレス放電の電圧を上昇させる必要もあるという問題点もある。
【発明の開示】
【発明が解決しようとする課題】
【００１２】
本発明は、前記のような問題点を解決するために案出されたもので、前面基板上に一対の維持電極を相互に傾くように形成することにより、プラズマ放電を効率的に発生させうるＰＤＰを提供することをその目的とする。
【課題を解決するための手段】
【００１３】
前記の目的を達成するために、本発明に係るＰＤＰは、相互対向に配置されてその間に放電空間を形成する前面基板及び背面基板と、前記背面基板の上面にストライプ形態に形成される多数のアドレス電極と、前記背面基板の上面に前記アドレス電極を覆うように形成される第１誘電体層と、前記第１誘電体層の上面に形成されて前記放電空間を区画する多数の隔壁と、前記前面基板の下面に前記アドレス電極と直交する方向に突出されて形成され、その両側は凹形状を有する多数の第２誘電体層と、前記第２誘電体層の両側面に沿って相互に傾くように形成される第１及び第２維持電極と、前記第２誘電体層の下面に前記第１及び第２維持電極を覆うように形成される第３誘電体層とを具備する。
【００１４】
前記第２誘電体層は、下方に行くほど幅が徐々に狭くなるように形成される。
【００１５】
前記第２誘電体層は、透明誘電体またはガラスからなることが望ましい。
【００１６】
前記第２誘電体層は、前記前面基板に一体に形成されうる。
【００１７】
前記第１及び第２維持電極間の前記第２誘電体層には、前記第２誘電体層の長手方向に溝が形成されることが望ましい。
【００１８】
前記溝の底壁にはブラックストライプが塗布され、この時に前記ブラックストライプは前記溝の両側壁にも塗布されることが望ましい。
【００１９】
前記第１及び第２維持電極の下面には各々第１及び第２バス電極が形成され、この時に前記第１及び第２バス電極は各々前記第１及び第２維持電極の下面の縁に形成されることが望ましい。
【００２０】
前記第１及び第２バス電極の下部には、炭素ナノチューブ（ＣＮＴ）が塗布されることが望ましい。
【００２１】
前記第３誘電体層の下面には、保護層が形成されることが望ましい。
【００２２】
前記隔壁は、前記前面基板の下面に形成された前記第２誘電体層に対応される位置に形成されることが望ましい。
【発明の効果】
【００２３】
本発明に係るＰＤＰによれば、次のような効果がある。
【００２４】
第一に、第２誘電体層が前面基板に突出され、その両側面が凹状に形成されることによって維持放電の主放電時に対向放電が誘導されうる。これにより、ＰＤＰの発光効率及び輝度を向上させうる。
【００２５】
第二に、バス電極がアドレス電極近くに位置しているために、アドレス放電が円滑に発生されうる。これにより、アドレス放電電圧を下げられる。
【００２６】
第三に、ブラックストライプが第２誘電体層に形成された溝の内壁に塗布されることにより、所定の放電セルから発生された可視光の隣接する放電セルへの流入を効果的に防止でき、外光の反射を防止しうる。これにより、パネルの明室コントラストが向上されうる。
【００２７】
第四に、バス電極が前面基板に対して傾くように形成されるので、従来よりもバス電極による可視光の遮断効果が減る。
【００２８】
第五に、バス電極の下部にＣＮＴが形成されることにより、電界放出による放電電圧の減下及び輝度の向上を図りうる。
【発明を実施するための最良の形態】
【００２９】
以下、添付された図面を参照して、本発明に係る望ましい実施形態を詳細に説明する。以下の図面で、同じ参照符号は同じ構成要素を示す。
【００３０】
図３は、本発明の実施形態に係るＰＤＰの内部構造を図示した垂直断面図である。
【００３１】
図３を参照すれば、本発明の実施形態に係るＰＤＰは、相互に隔離され対向に配置される前面基板１２０及び背面基板１１０を具備する。前記前面基板１２０及び背面基板１１０間の空間は、プラズマ放電が起きる放電空間になる。
【００３２】
前記背面基板１１０は、ガラス基板であり、その上面には多数のアドレス電極１１１がストライプ形態で形成される。そして、第１誘電体層１１２が前記アドレス電極１１１を覆うように前記背面基板１１０の上面に形成される。このような第１誘電体層１１２は、背面基板１１０の上面に白色の誘電物質を所定厚さに塗布することで形成できる。
【００３３】
前記第１誘電体層１１２の上面には、前記放電空間を区画して放電セル１１４を形成する多数の隔壁１１３が所定間隔をおいて形成される。このような隔壁１１３は、放電セル１１４間の電気的、光学的干渉を防止するためのものである。前記隔壁１１３は、各々前面基板１２０の下面から突出されて形成された第２誘電体層１２５と対応される位置に形成されることにより、従来のＰＤＰの隔壁より低く形成されるものの、従来と同じ大きさの放電セル１１４を確保しうる。前記放電セル１１４の内部には、放電ガスが注入されるが、このような放電ガスは、ネオンガスとキセノンガスとが混合されたガスが一般的に使われる。そして、前記放電セル１１４の内壁をなす第１誘電体層１１２の上面及び隔壁１１３の側面には、各々赤色（Ｒ）、緑色（Ｇ）、青色（Ｂ）の蛍光体層１１５の所定厚さで塗布される。
【００３４】
前記前面基板１２０は、可視光が透過できる透明基板であり、主にガラスからなる。前記前面基板１２０の下面には多数の第２誘電体層１２５が突出されて形成され、このような第２誘電体層１２５は前面基板１２０に一体に形成されうる。前記第２誘電体層１２５は、透明誘電体、ガラスまたは他の透明な物質からなりうる。前記第２誘電体層１２５は、前記背面基板１１０上のアドレス電極１１１と直交する方向に前記前面基板１２０の下面から突出されて形成される。この時、前記第２誘電体層１２５各々は、下方に行くほど幅が徐々に狭くなるように形成され、その両側面は凹形態で形成される。そして、前述したように、前記第２誘電体層１２５は、各々背面基板１１０上の隔壁１１３と対応される位置に形成される。これにより、相互に隣接する第２誘電体層１２５間の空間が放電セル１１４になる。前記第２誘電体層１２５それぞれの中心部には、溝１３０が第２誘電体層１２５の長手方向に沿って形成されている。
【００３５】
前記溝１３０の内壁、すなわち前記溝１３０の底壁及び両側壁にはブラックストライプ１５０が塗布されうる。このようにブラックストライプ１５０が溝１３０の両側壁にも塗布されることにより、所定の放電セル１１４から発生された可視光の隣接する放電セル１１４への流入を効果的に防止でき、外光の放電セル１１４への流入も防止しうる。これにより、パネルの明室コントラストが向上される。
【００３６】
前記第２誘電体層１２５それぞれの両側面には、第１及び第２維持電極１２１ａ，１２１ｂが一対で形成される。この時、前記第１及び第２維持電極１２１ａ，１２１ｂは、前記第２誘電体層１２５の凹状の両側面に沿って形成される。これにより、前記第１及び第２維持電極１２１ａ，１２１ｂは、前面基板１２０に対して相互に傾くように形成される。このような第１及び第２維持電極１２１ａ，１２１ｂは、可視光が透過できるように透明な導電性材料であるＩＴＯからなる。このように、第１及び第２維持電極１２１ａ，１２１ｂを前面基板１２０に対して傾くように形成すれば、放電距離の短縮ができて発光効率を高めうる。
【００３７】
一方、ＩＴＯからなる前記第１及び第２維持電極１２１ａ，１２１ｂは比較的抵抗が高いので、ライン抵抗を減らすために前記第１及び第２維持電極１２１ａ，１２１ｂの下面の縁には、各々導電性に優れた金属材からなる第１及び第２バス電極１２２ａ，１２２ｂが形成される。ここで、前記第１及び第２バス電極１２２ａ，１２２ｂも前面基板１２０に対して相互に傾くように形成される。これにより、放電セル１１４内で対向放電が誘導され、従来よりもバス電極による可視光遮断効果が減る。
【００３８】
第３誘電体層１２３は、第１及び第２維持電極１２１ａ，１２１ｂと第１及び第２バス電極１２２ａ，１２２ｂとを覆うように形成される。前記第３誘電体層１２３は、前記第１及び第２維持電極１２１ａ，１２１ｂと第１及び第２バス電極１２２ａ，１２２ｂの下面に透明な誘電物質を所定厚さに塗布することによって形成されうる。
【００３９】
前記第３誘電体層１２３の下面には保護層１２４が形成される。前記保護層１２４は、プラズマ粒子のスパッタリングにより第３誘電体層１２３と、第１及び第２維持電極１２１ａ，１２１ｂとが損傷されることを防止し、２次電子を放出して放電電圧と維持電圧を下げる役割をする。前記保護層１２４は、第３誘電体層１２３の下面に、例えばＭｇＯを所定厚さに塗布することによって形成できる。
【００４０】
一方、前記第１及び第２バス電極１２２ａ，１２２ｂが形成された保護層１２４下面の一部領域には、ＣＮＴ  １４０が塗布されうる。前記ＣＮＴ  １４０は、前記第１及び第２バス電極１２２ａ，１２２ｂの下面に塗布されることもある。このように第１及び第２バス電極１２２ａ，１２２ｂの下部にＣＮＴ  １４０が形成されれば、電界放出による放電電圧の減少及び輝度向上ができる。そして、ＣＮＴ  １４０が傾くように形成されるので可視光遮断効果も減らせうる。
【００４１】
前記のような構造のＰＤＰで、アドレス放電はアドレス電極１１１と第１及び第２維持電極１２１ａ，１２１ｂの中いずれか一つの間で行われ、この時に第３誘電体層１２３の表面には壁電荷が形成される。ここで、第１及び第２バス電極１２２ａ，１２２ｂがアドレス電極１１１に近く位置しているためにアドレス放電が円滑に発生しうる。
【００４２】
次に、維持放電は、放電セル１１４に位置する第１維持電極１２１ａと第２維持電極１２１ｂとの間の電位差によって行われる。図４を参照すれば、放電セル１１４内の第１維持電極１２１ａと第２維持電極１２１ｂの相互に隣接する部分間では、開始放電１６０が行われる。この時、相互に隣接する第１及び第２維持電極１２１ａ，１２１ｂは、前面基板１２０に対してほぼ平行に形成されるので、面放電が誘導される。次に、放電セル１１４内の第１維持電極１２１ａと第２維持電極１２１ｂの相互に遠く離れた部分間では、主放電１７０が行われる。この時、相互に遠く離れた第１及び第２維持電極１２１ａ，１２１ｂは、前面基板１２０に対してほとんど垂直に形成されるために対向放電が誘導され、その結果均一で強いプラズマ放電が発生しうる。
【００４３】
以上、本発明に係る望ましい実施形態が説明されたが、これは例示的なものに過ぎず、当該分野の当業持ならば、これから多様な変形及び均等な他実施形態が可能であることが理解できるであろう。したがって、本発明の真の技術的保護範囲は特許請求範囲によって決まらなければならない。
【産業上の利用可能性】
【００４４】
本発明のＰＤＰは、多様なディスプレイ装置に適用できる。
【図面の簡単な説明】
【００４５】
【図１】従来の一般的な面放電型ＰＤＰの一部を図示した分離斜視図である。
【図２】図１に図示された従来のＰＤＰの内部構造を図示した垂直断面図である。
【図３】本発明の実施形態に係るＰＤＰの内部構造を図示した垂直断面図である。
【図４】本発明の実施形態に係るＰＤＰで開始放電と主放電とを図示した図面である。
【符号の説明】
【００４６】
１１０        背面基板
１１１        アドレス電極
１１２        第１誘電体層
１１３        隔壁
１１４        放電セル
１１５        蛍光体層
１２０        前面基板
１２１ａ        第１維持電極
１２１ｂ        第２維持電極
１２２ａ        第１バス電極
１２２ｂ        第２バス電極
１２３        第３誘電体層
１２４        保護層
１２５        第２誘電体層
１３０        溝
１４０        ＣＮＴ
１５０        ブラックストライプ
【図１】
2005150095.tif 000003
【図２】
2005150095.tif 000004
【図３】
2005150095.tif 000005
【図４】
2005150095.tif 000006